(57)【要約】【課題】テープ基材が薄いプラスチックフィルムを用いた場合においても、押圧転写部からの転写テープ外れを防止し、安定した転写作業が可能である塗膜転写具を提供する。【解決手段】繰出し回転部と巻取り回転部と転写ヘッドを有し、転写テープが転写ヘッドを経由して被転写面に転写される塗膜と残りのテープ基材とに分かれ、前記テープ基材が前記繰出し回転部から巻取り回転部に巻き取られるようになっており、前記転写ヘッドの先端に押圧転写部が形成され、前記転写ヘッドのテープ基材が反転して走行する上面部の幅方向両端部にテープ規制部材が設けられている塗膜転写具において、少なくとも一方のテープ規制部材の前方部を凹み形状とすることを特徴とする塗膜転写具。【選択図】　　　　図１
2004122569.tif 000002
【特許請求の範囲】
【請求項１】
繰出し回転部と巻取り回転部と転写ヘッドを有し、転写テープが転写ヘッドを経由して被転写面に転写される塗膜と残りのテープ基材とに分かれ、前記テープ基材が前記繰出し回転部から前記巻取り回転部に巻き取られるようになっており、前記転写ヘッドの先端に押圧転写部が形成され、前記転写ヘッドのテープ基材が反転して走行する上面部の幅方向両端部にテープ規制部材が設けられている塗膜転写具において、少なくとも一方のテープ規制部材の前方部を凹み形状とすることを特徴とする塗膜転写具。
【請求項２】
前記テープ規制部材の凹み形状が、テープ基材の走行方向に狭幅化されている、請求項１記載の塗膜転写具。
【発明の詳細な説明】
【０００１】
【発明の属する技術分野】
本発明は、転写テープ基材の表面にコーティングされた修正用塗膜、接着用粘着剤、装飾用塗膜等を被転写面に転写する為の塗膜転写具の技術分野に属する。
【０００２】
【従来の技術】
従来の塗膜転写具としては図４（ａ）に示される構造であり、この塗膜転写具１０においては、本体２０から外部に突出する転写ヘッド３０を有し、前記転写ヘッド３０の先端に押圧転写部４０が形成され、未使用の転写テープが走行する下面部および転写後の基材テープが反転して走行する上面部６０から構成されるとともに、前記転写ヘッド３０の下面部及び上面部６０の幅方向両端部に、転写テープの幅方向の揺動を規制するテープ規制部材５０が互いに平行になるように設けられている。（例えば特許文献１参照）
また近年塗膜転写具のコンパクト化あるいは転写テープの長尺化が要望されるようになってきており、それに伴い転写テープの薄膜化が求められている。転写テープの薄膜化のためには、テープ基材も薄膜化する必要があり、テープ基材としてプラスチックフィルムを使用することが提案されている。このプラスチックフィルムをテープ基材とする塗膜転写具において、転写テープの転写ヘッドからの逸脱を防止すべく、転写テープの裏面を押圧するローラ又はピンを転写ヘッドの近傍に配設することも提案されている。（例えば特許文献２参照）
【特許文献１】
特開平１０−５２９９６号（図３）
【特許文献２】
特開平８−１８７９９６号（段落番号［０００３］）
【０００３】
【発明が解決しようとする課題】
しかしながら、上記従来の塗膜転写具におけるテープ規制部材の前方部の形状では、テープ基材として薄いプラスチックフィルムを用いた場合、転写テープの裏面は離型剤処理を施しているために動摩擦係数が低くなっていることに加え、紙基材に比べて剛性が低いために、転写テープに幅方向の力が作用して、転写後のテ−プ基材が幅方向に揺動してテープ基材端面がテープ規制部材と接触するときに、テープ規制部材を乗り越える方向に力が働き、テープ規制部材を乗り越えてテープ基材が転写ヘッドから外れる不具合が発生し、転写不良、強いては使用不可能になる場合があった。
【０００４】
本発明は、転写ヘッドのテープ規制部材の前方部に凹み形状を設けることにより、転写テープの基材として薄いプラスチックフィルムを用いた場合でも、テープ基材の幅方向に揺動させる力が作用し、テープ基材端面がテープ規制部材に接触したときに、テープ基材にテープ規制部材を乗り越えない方向の力を発生させることで、テープ基材によるテープ規制部材の乗り越えを防止し、安定した転写テープの走行、転写作業および使用不可能状態の回避を行うができる塗膜転写具を提供することを目的とするものである。
【０００５】
【課題を解決するための手段】
請求項１に係る発明は、繰出し回転部と巻取り回転部と転写ヘッドを有し、転写テープが転写ヘッドを経由して被転写面に転写される塗膜と残りのテープ基材とに分かれ、前記テープ基材が前記繰出し回転部から巻取り回転部に巻き取られるようになっており、前記転写ヘッドの先端に押圧転写部が形成され、前記転写ヘッドのテープ基材が反転して走行する上面部の幅方向両端部にテープ規制部材が設けられている塗膜転写具において、少なくとも一方のテープ規制部材前方を凹み形状とすることを特徴とする塗膜転写具に関する。
【０００６】
請求項２に係る発明は、テープ規制部材の凹み形状が、テープ基材の走行方向に狭幅化されている、請求項１記載の塗膜転写具に関する。
【０００７】
【作用】
転写ヘッドに形成されたテープ規制部材は、転写ヘッドのテープ基材が反転して走行する上面部の幅方向両端部に設けられ、前記テープ規制部材の前方部には凹み形状が設けられている。テープ規制部材の前方部の凹み形状の一部には、テープ基材の走行角度に対して鋭角になる部分が形成されており、テープ基材が幅方向に揺動しテープ規制部材を乗り越えようとする動きをした場合、テープ規制部材の前方部の凹み形状の鋭角部とテープ基材が接触すると、テープ基材にはテープ規制部材を乗り越える方向とは反対の力が働く。これにより、押圧転写部からのテープ基材外れを防止し、安定した転写テープの走行および転写作業が可能となる。
【０００８】
【発明の実施の形態】
以下に、本発明の実施形態を図面に基づいて説明する。
【０００９】
図１（ａ）は、本発明の塗膜転写具１の要部拡大斜視図、図１（ｂ）は図１（ａ）の転写ヘッドの詳細３面図である。この塗膜転写具に使用される転写テープの構成、転写テープを塗膜転写具に回転可能に取り付ける方法、および塗膜を被転写面に転写する方法は、従来のものと同様であるので説明を省略する。
【００１０】
この塗膜転写具１は、本体２と本体２に取り付けられ、本体２の外部に突出した転写ヘッド３を有する。前記転写ヘッド３の先端部には幅方向に細長い押圧転写部４が形成され、さらに前記転写ヘッド３のテープ基材が反転して走行する上面部６の幅方向両端部にテープ規制部材５、５が互いに平行となるように一体に並設されている。
【００１１】
図１（ｂ）は図１（ａ）における転写ヘッドの詳細３面図である。テープ規制部材５の前方部には凹み形状が設けられており、テープ基材とテープ規制部材５が接する部分、すなわちテープ基材が反転して走行する上面部６とテープ規制部材５のなす角度θは鋭角となっている。本体１を移動させながら塗膜を被転写面に転写させるとき、この転写ヘッド３の上面部６を走行することとなる転写後のテープ基材に対して、幅方向に移動させる力がかかっても、テープ規制部材５、５によってテープ基材にはテープ規制部材５を乗り越える方向とは反対の力が働く。よって、テープ基材はテープ規制部材５によって左右方向への揺動だけでなく、上下方向の移動も規制されることになるため、テープ基材のテープ規制部材５の乗り越えを防止し、安定した転写テープの走行および転写作業が可能となる。
【００１２】
図２（ａ）から図２（ｊ）には、それぞれ本発明の第一実施形態の塗膜転写具のテープ規制部材の形状（転写ヘッドの側面図）が示されている。これらの転写ヘッドのテープ規制部材はすべて図１に示す第一の実施形態における塗膜転写具１の転写ヘッド３のテープ規制部材５の変形例であり、前方部に少なくとも１つの凹み形状を有するものである。凹み形状は直線状でもよく、曲線状であってももよい。あるいは両形状の組み合わせであってもよい。また、凹み形状は前方部に複数設けてもよく、前方部において部分的に凹み形状を有するものであってもよい。図２（ａ）から図２（ｊ）に示された形状以外にも、テープ規制部材前方部に凹み形状を有するものであれば、これらに限られることはない。図２（ａ）から図２（ｊ）に示された転写ヘッドのテープ規制部材は、本発明の第一の実施形態における塗膜転写具１のテープ規制部材５と同様に、テープ基材に幅方向の力が作用したときに、テープ基材の左右方向だけでなく上下方向の揺動を規制し、テープ基材のテープ規制部材５の乗り越えを防止し、安定した転写テープの走行および塗膜の転写作業が可能となるという、同様の効果を奏するものである。
【００１３】
図３は本発明の第二実施形態の塗膜転写具を示し、図３（ａ）は要部拡大斜視図、図３（ｂ）は図３（ａ）の転写ヘッドの詳細３面図である。
【００１４】
この塗膜転写具１’は、本体２’と本体２’に取り付けられ、本体２’の外部に突出した転写ヘッド３’を有する。前記転写ヘッド３’の先端部には幅方向に細長い押圧転写部４’が形成され、さらに前記転写ヘッド３’のテープ基材が反転して走行する上面部６’の幅方向両端部にテープ規制部材５’、５’が互いに平行となるように一体に並設されている。前記転写ヘッド３’のテープ規制部材５’の前方部には凹み形状が設けられており、テープ基材とテープ規制部材５’が接する部分、すなわちテープ基材が反転して走行する上面部６’とテープ規制部材５’のなす角度θ’は鋭角となっており、かつテープ基材の走行方向に狭幅化された構造７’、７’となっている。そのため本体１’を移動させながら塗膜を被転写面に転写させるとき、この転写ヘッド３’の上面部６’を走行することとなる転写後のテープ基材に対して、幅方向に移動させる力が作用しても、テープ規制部材５’、５’によってテープ基材の幅方向の揺動がより規制され、かつテープ基材にはテープ規制部材を乗り越える方向とは反対の力がより効果的に働く。よって、テープ基材はテープ規制部材５’によって左右方向への揺動だけでなく、上下方向の移動も規制されることになるため、テープ基材のテープ規制部材５’の乗り越えを防止し、さらに安定した転写テープの走行および塗膜の転写作業が可能となる。
【００１５】
【発明の効果】
本発明によれば、転写ヘッドに形成されたテープ規制部材の前方部に設けられた凹み形状により、転写テープが押圧転写部から外れることを防止し、安定した転写テープの走行および塗膜の転写作業が可能となる。さらに本発明によれば、転写ヘッドに形成されたテープ規制部材の前方部に設けられた凹み形状がテープ走行方向に狭幅化される構造とすることによって、転写テープが押圧転写部から外れることを防止し、より安定した転写テープの走行および塗膜の転写作業とが可能となる。
【図面の簡単な説明】
【図１】本発明の第一実施形態の塗膜転写具を示し、図１（ａ）は要部拡大斜視図、図１（ｂ）は図１（ａ）の転写ヘッドの詳細３面図である。
【図２】図２（ａ）から図２（ｊ）はそれぞれ本発明の第一実施形態の塗膜転写具のテープ規制部材の形状（転写ヘッドの側面図）を示す。
【図３】本発明の第二実施形態の塗膜転写具を示し、図３（ａ）は要部拡大斜視図、図３（ｂ）は図３（ａ）の転写ヘッドの詳細３面図である。
【図４】従来の塗膜転写具を示し、図４（ａ）は要部拡大斜視図、図４（ｂ）は図４（ａ）の転写ヘッドの詳細３面図である。
【符号の説明】
１，１’，１０　塗膜転写具
２，２’，２０　本体
３，３’，３０　転写ヘッド
４，４’，４０　押圧転写部
５，５’，５０　テープ規制部材
６，６’，６０　上面部
７’　　　　　　狭幅化された構造
θ，θ’　　　　転写ヘッド上面部とテープ規制部材前方部のなす角度
【図１】
2004122569.tif 000003
【図２】
2004122569.tif 000004
【図３】
2004122569.tif 000005
【図４】
2004122569.tif 000006